【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
モバイルデバイスにおけるワイヤレス通信の方法であって、
第１の無線アクセス技術（ＲＡＴ）を利用し、ライセンスされていないスペクトル内で動作する第１の無線のための少なくとも１つのチャネルのための信号品質を決定することと、
前記第１の無線のための前記信号品質を、しきい値と比較することと、
第２のＲＡＴを利用し、前記ライセンスされていないスペクトル内で動作する第２の無線を使用して第１のスキャン周期にしたがって複数の第１のスキャンを実行することと、ここにおいて、前記第１のスキャン周期にしたがって前記複数の第１のスキャンを実行することは、前記第１のスキャン周期にしたがって前記第１の無線の接続を周期的に中断し、
前記比較に少なくとも部分的に基づいて、前記第２の無線のスキャン周期を前記第１のスキャン周期から第２のスキャン周期に適応させることと、
前記第２の無線を使用して、および前記適応させることに少なくとも部分的に基づいて、前記第２のスキャン周期にしたがって複数の第２のスキャンを実行することと、ここにおいて、前記第２のスキャン周期にしたがって前記複数の第２のスキャンを実行することは、前記第２のスキャン周期にしたがって前記第１の無線の前記接続を周期的に中断し、
を備える、方法。
【請求項２】
前記第２の無線の前記スキャン周期を適応させることは、
前記第１の無線のための前記信号品質が、前記しきい値よりも大きいとき、前記第２の無線の前記スキャン周期を増加させること
を備える、請求項１に記載の方法。
【請求項３】
前記第２の無線の前記スキャン周期を適応させることは、
前記第１の無線のための前記信号品質が、前記しきい値以下であるとき、前記第２の無線の前記スキャン周期を減少させること
を備える、請求項１に記載の方法。
【請求項４】
前記第１の無線のための前記信号品質に少なくとも部分的に基づいて、前記第１の無線の前記接続を中断することと、
前記第１の無線の前記接続を中断すると、前記第２の無線の前記スキャン周期を増加させることと、
をさらに備える、請求項１に記載の方法。
【請求項５】
前記第１の無線のための前記信号品質に少なくとも部分的に基づいて、前記第２の無線のための誤ったチャネル品質レポートを送信することと、
前記誤ったチャネル品質レポートに応じて、基地局からメッセージを受信することと、  前記受信されたメッセージに少なくとも部分的に基づいて、前記第２の無線の前記スキャン周期を減少させることと、
をさらに備える、請求項１に記載の方法。
【請求項６】
前記基地局から前記第１のスキャン周期を示す構成を受信することと、ここにおいて、前記複数の第１のスキャンは前記構成にしたがって実行され、前記誤ったチャネル品質レポートを送信することとは、前記構成を受信することに少なくとも部分的に基づき、
をさらに備える、請求項５に記載の方法。
【請求項７】
前記スキャン周期を適応させることは、
電力使用、信号品質の履歴、基地局の近接、またはこれらの任意の組合せに少なくとも部分的に基づいて前記スキャン周期を適応させること
を備える、請求項１に記載の方法。
【請求項８】
前記第１のＲＡＴは、ロング・ターム・エボリューション（ＬＴＥ）ＲＡＴを備え、前記第２のＲＡＴは、ワイヤレスローカルエリアネットワーク（ＷＬＡＮ）ＲＡＴを備える、請求項１に記載の方法。
【請求項９】
前記第１のＲＡＴは、ＷＬＡＮ  ＲＡＴを備え、前記第２のＲＡＴは、ＬＴＥ  ＲＡＴを備える、請求項１に記載の方法。
【請求項１０】
前記ライセンスされていないスペクトルは、Ｕｎｌｉｃｅｎｓｅｄ  Ｎａｔｉｏｎ  Ｉｎｆｏｒｍａｔｉｏｎ  Ｉｎｆｒａｓｔｒｕｃｔｕｒｅ（Ｕ−ＮＩＩ）帯域を備える、請求項１に記載の方法。
【請求項１１】
モバイルデバイスにおけるワイヤレス通信のための装置であって、
プロセッサと、
前記プロセッサと電子通信しているメモリと、
前記プロセッサおよび前記メモリに記憶された命令を使用して、第１の無線アクセス技術（ＲＡＴ）を利用し、ライセンスされていないスペクトル内で動作する第１の無線のための少なくとも１つのチャネルのための信号品質を決定するための信号品質検出器と、
前記プロセッサおよび前記メモリに記憶された前記命令を使用して、前記第１の無線のための前記信号品質を、しきい値と比較するための信号品質比較器と、
第２のＲＡＴを利用し、前記ライセンスされていないスペクトル内で動作する第２の無線を使用して第１のスキャン周期にしたがって複数の第１のスキャンを実行することと、ここにおいて、前記第１のスキャン周期にしたがって前記複数の第１のスキャンを実行することは、前記第１のスキャン周期にしたがって前記第１の無線の接続を周期的に中断し、
前記比較に少なくとも部分的に基づいて、前記第２の無線のスキャン周期を前記第１のスキャン周期から第２のスキャン周期に適応させることと、
前記第２の無線を使用して、および前記適応に少なくとも部分的に基づいて、前記第２のスキャン周期にしたがって複数の第２のスキャンを実行することと、ここにおいて、前記第２のスキャン周期にしたがって前記複数の第２のスキャンを実行することは、前記第２のスキャン周期にしたがって前記第１の無線の前記接続を周期的に中断し、
を行うための適応スキャナと
を備える、装置。
【請求項１２】
前記プロセッサおよび前記メモリに記憶された前記命令を使用して、前記第１の無線のための前記信号品質が、前記しきい値よりも大きいとき、前記第２の無線の前記スキャン周期を増加させるための周期インクリメンタ
をさらに備える、請求項１１に記載の装置。
【請求項１３】
前記プロセッサおよび前記メモリに記憶された前記命令を使用して、前記第１の無線のための前記信号品質が、前記しきい値以下であるとき、前記第２の無線の前記スキャン周期を減少させるための周期デクリメンタ
をさらに備える、請求項１１に記載の装置。
【請求項１４】
前記プロセッサおよび前記メモリに記憶された前記命令を使用して、前記第１の無線のための前記信号品質に少なくとも部分的に基づいて、前記第１の無線の前記接続を中断するためのインタラプタと、
前記プロセッサおよび前記メモリに記憶された前記命令を使用して、前記第１の無線の前記接続を中断すると、前記第２の無線の前記スキャン周期を増加させるための周期インクリメンタと、
をさらに備える、請求項１１に記載の装置。
【請求項１５】
前記プロセッサおよび前記メモリに記憶された前記命令を使用して、前記第１の無線のための前記信号品質に少なくとも部分的に基づいて、前記第２の無線のための誤ったチャネル品質レポートを送信するためのチャネル品質レポータと、
前記プロセッサおよび前記メモリに記憶された前記命令を使用して、前記誤ったチャネル品質レポートに応じて、基地局からメッセージを受信するための受信機と、
前記プロセッサおよび前記メモリに記憶された前記命令を使用して、前記受信されたメッセージに少なくとも部分的に基づいて、前記第２の無線の前記スキャン周期を減少させるための周期デクリメンタと、
をさらに備える、請求項１１に記載の装置。
【請求項１６】
前記適応スキャナは、
電力使用、信号品質の履歴、基地局の近接、またはこれらの任意の組合せに少なくとも部分的に基づいて前記スキャン周期を適応させること
を行うように構成される、請求項１１に記載の装置。
【請求項１７】
モバイルデバイスにおけるワイヤレス通信のための装置であって、
第１の無線アクセス技術（ＲＡＴ）を利用し、ライセンスされていないスペクトル内で動作する第１の無線のための少なくとも１つのチャネルのための信号品質を決定するための手段と、
前記第１の無線のための前記信号品質を、しきい値と比較するための手段と、
第２のＲＡＴを利用し、前記ライセンスされていないスペクトル内で動作する第２の無線を使用して第１のスキャン周期にしたがって複数の第１のスキャンを実行するための手段と、ここにおいて、前記第１のスキャン周期にしたがって前記複数の第１のスキャンを実行することは、前記第１のスキャン周期にしたがって前記第１の無線の接続を周期的に中断し、
前記比較に少なくとも部分的に基づいて、前記第２の無線のスキャン周期を前記第１のスキャン周期から第２のスキャン周期に適応させるための手段と、
前記第２の無線を使用して、および前記適応させることに少なくとも部分的に基づいて、前記第２のスキャン周期にしたがって複数の第２のスキャンを実行するための手段と、ここにおいて、前記第２のスキャン周期にしたがって前記複数の第２のスキャンを実行することは、前記第２のスキャン周期にしたがって前記第１の無線の前記接続を周期的に中断し、
を備える、装置。
【請求項１８】
前記第２の無線の前記スキャン周期を適応させるための前記手段は、
前記第１の無線のための前記信号品質が、前記しきい値よりも大きいとき、前記第２の無線の前記スキャン周期を増加させるための手段
を備える、請求項１７に記載の装置。
【請求項１９】
前記第２の無線の前記スキャン周期を適応させるための前記手段は、
前記第１の無線のための前記信号品質が、前記しきい値以下であるとき、前記第２の無線の前記スキャン周期を減少させるための手段
を備える、請求項１７に記載の装置。
【請求項２０】
前記第１の無線のための前記決定された信号品質に少なくとも部分的に基づいて、前記第１の無線の前記接続を中断するための手段と、
前記第１の無線の前記接続を中断すると、前記第２の無線の前記スキャン周期を増加させるための手段と、
をさらに備える、請求項１７に記載の装置。
【請求項２１】
前記第１の無線のための前記決定された信号品質に少なくとも部分的に基づいて、前記第２の無線のための誤ったチャネル品質レポートを送信するための手段と、
前記誤ったチャネル品質レポートに応じて、基地局からメッセージを受信するための手段と、
前記受信されたメッセージに少なくとも部分的に基づいて、前記第２の無線の前記スキャン周期を減少させるための手段と、
をさらに備える、請求項１７に記載の装置。
【請求項２２】
前記スキャン周期を適応させるための前記手段は、
電力使用、信号品質の履歴、基地局の近接、またはこれらの組合せに少なくとも部分的に基づいて前記スキャン周期を適応させるための手段
を備える、請求項１７に記載の装置。
【請求項２３】
前記第１のＲＡＴは、ロング・ターム・エボリューション（ＬＴＥ）ＲＡＴを備え、前記第２のＲＡＴは、ワイヤレスローカルエリアネットワーク（ＷＬＡＮ）ＲＡＴを備える、請求項１７に記載の装置。
【請求項２４】
前記第１のＲＡＴは、ＷＬＡＮ  ＲＡＴを備え、前記第２のＲＡＴは、ＬＴＥ  ＲＡＴを備える、請求項１７に記載の装置。
【請求項２５】
前記ライセンスされていないスペクトルは、Ｕｎｌｉｃｅｎｓｅｄ  Ｎａｔｉｏｎ  Ｉｎｆｏｒｍａｔｉｏｎ  Ｉｎｆｒａｓｔｒｕｃｔｕｒｅ（Ｕ−ＮＩＩ）帯域を備える、請求項１７に記載の装置。
【請求項２６】
モバイルデバイスにおけるワイヤレス通信のためのコードを記憶する非一時的なコンピュータ読取可能な媒体であって、前記コードは、プロセッサによってインプリメントされると、
第１の無線アクセス技術（ＲＡＴ）を利用し、ライセンスされていないスペクトル内で動作する第１の無線のための少なくとも１つのチャネルのための信号品質を決定することと、
前記第１の無線のための前記決定された信号品質を、しきい値と比較することと、
第２のＲＡＴを利用し、前記ライセンスされていないスペクトル内で動作する第２の無線を使用して第１のスキャン周期にしたがって複数の第１のスキャンを実行することと、ここにおいて、前記第１のスキャン周期にしたがった前記複数の第１のスキャンは、前記第１のスキャン周期にしたがって前記第１の無線の接続を周期的に中断し、
前記比較に少なくとも部分的に基づいて、前記第２の無線のスキャン周期を前記第１のスキャン周期から第２のスキャン周期に適応させることと、
前記第２の無線を使用して、および前記適応に少なくとも部分的に基づいて、前記第２のスキャン周期にしたがって複数の第２のスキャンを実行することと、ここにおいて、前記第２のスキャン周期にしたがって前記複数の第２のスキャンを実行することは、前記第２のスキャン周期にしたがって前記第１の無線の前記接続を周期的に中断し、
を行うように実行可能な命令を備える、非一時的なコンピュータ読取可能な媒体。